【事件の表示】
　平成　８年特許願第３２４４１８号「車両修理費見積もりシステム」拒絶査定不服審判事件〔平成１０年　６月１９日出願公開、特開平１０−１６２０５３〕について、次のとおり審決する。
【結　論】
　本件審判の請求は、成り立たない。
【理　由】
第１　手続の経緯
　本願は、平成８年１２月４日の出願であって、平成１８年４月２８日付けで拒絶査定がなされ（発送日同年５月９日）、これに対し、同年６月８日に拒絶査定不服審判の請求がなされたものである。
　
　
第２　本願発明について 
　
１．本願発明
　本願の請求項１乃至２に係る発明は、平成１８年１月２３日付けの手続補正によって補正された明細書及び図面の記載からみて、特許請求の範囲の請求項１乃至２に記載されたとおりのものと認められるところ、その請求項１に係る発明（以下、「本願発明」という。）は、次のとおりのものである。 
　　
「【請求項１】
車両の部品価格、及び当該部品の交換あるいは修理に要する工賃のデータ群、並びに、車両の破損部位と破損部位に伴って交換あるいは修理が必要になる部品との対応データ、を格納した格納手段と、
図形及び各種データを表示するための表示手段と、
この表示手段に表示させた車両図形に対して実際の車両の破損部位及び破損程度を指定する指定手段と、
この指定手段で指定された破損部位及び破損程度を前記格納手段に格納されたデータと照合し、交換あるいは修理を要する部品のリスト及び工賃のリストを前記表示手段に表示させる照合手段とを備え、
前記指定手段は、前記表示手段の表示ドットの絶対位置を指定できる感光センサを内装したライトペンであり、このライトペンを前記表示手段に表示させた車両図形に対して実際の車両の破損部位に対応させて当てることにより、前記破損部位及び破損程度を指定することを特徴とする車両修理費見積もりシステム。」 
　　
　
　　
 ２．引用例
　　
（１）原査定の拒絶の理由に引用された、特開平６−２５９４３９号公報（以下、「引用例１」という。）には、次の事項が記載されている。
　　
（ア）
「　　【０００１】
　　【産業上の利用分野】
　本発明は、自動車修理の見積りシステムに係り、特に、自動車修理工場などで、事故車を修理する際に、事故車の損害の見積り作業に有用な自動車修理の見積りシステムに関する。」
　
（イ）
「　　【００１５】
　　【実施例】
　以下、添付図面に基づいて本発明の実施例に係る自動車修理の見積りシステムについて説明する。この自動車修理の見積りシステムは、図１及び図２に示すような所謂パソコンのシステムにおいて実現される。図１及び図２において、１は挿入されたフロッピディスク２を含むメモリ部３及びＣＰＵ等の処理部４を有したパソコン本体、５は表示手段としてのディスプレー、６は各種データを入力するキーボード、７はプリンタである。フロッピディスク２は、自動車のメーカー毎に、対応した自動車のデータを記憶したものが複数枚設けられる。」
　
（ウ）
「　　【００１６】
　パソコン本体１の処理部４は、キーボード６からの入力指示により、図３に示す初期データ入力表３０（ダメージレポート）をディスプレー５に表示し、この表示画面において各種の必要なデータを表示させて取り込む初期データ処理機能を備えている。初期データ入力表３０には、対象となる自動車の車種等の自動車固有データ３１、損傷範囲の選択３２（範囲指定か単体指定かの二者択一）、車両の形状３３（４ドアか２ドアかの二者択一）、損傷入力方向３４（前側か後側かの二者択一）、衝撃入力度３５（大，中，小の三者択一）、指数対応単価３６、工数対応単価３７などの欄が設けられている。ここで、指数対応単価とは、保険会社などが脱着，交換作業に対して定めた指数が乗ぜられ、工賃を算出する基礎となる価格である。工数対応単価とは、指数対応単価に関係しない作業に対して定めた指数が乗ぜられ、工賃を算出する基礎となる価格である。」
　　
（エ）
「　　【００１８】
　メモリ部３において、１２は作業部位記憶手段であって、自動車を複数個所に分割してブロック化した当該各ブロックもしくはブロックの集合ごとに修理作業に係る作業部位の一覧を記憶するものである。自動車のブロック化の分割線は、図４に示すように、自動車の前後，左右及び上下に分割して定められている。
　　　【００１９】
　即ち、前後に設けられた分割線は、経験測に基づき損傷範囲を規定し易いように、自動車の平面図上、例えば、クロスメンバの直後（ａ線）、ストラットタワーの直前（ｂ線）、ダッシュパネルの直前（ｃ線）、フロントピラーの直後（ｄ線）、センタピラーの直前（ｅ線）、タイヤ位置の直前（ｆ線）、タイヤ位置の直後（ｇ線）、リヤクロスメンバの直前（ｈ線）に線引きされた線としている。
　　　【００２０】
　また、左右に設けられた分割線は、経験測に基づき損傷範囲を規定し易いように、自動車の平面図上、例えば、自動車の中心線（Ｘ線）及び外板パーツを分離する線（Ｙ線）としている。更に、上下に設けられた分割線は、経験測に基づき損傷範囲を規定し易いように、自動車の側面図上、ウエストラインの直下（Ｚ線）に線引きされた線としている。」
　
（オ）
「　　【００２１】
　そして、作業部位記憶手段１２は、上記の分割されたブロックの集合ごとに修理作業に係る作業部位の一覧を記憶している。例えば、図５に示すように、斜線で示したブロック（Ａ−１Ｒ，Ａ−１Ｕ，Ａ−１Ｓ）においては、作業部位として、例えば、フロントバンパー、ラジエータグリル、右ヘッドランプ、フロントエンドパネル、フードパネルなどと適宜に定められている。尚、関連作業や塗装等についても、項目として挙げている。尚また、作業部位名は各自動車メーカが使用する名称に合わせてある。
　　　【００２２】
　また、図６に示すように、斜線で示したブロック（Ａ−１Ｒ，Ｂ−１Ｒ，Ａ−１Ｕ，Ａ−１Ｓ，Ｂ−１Ｕ，Ｂ−１Ｓ）においては、作業部位として、上記にラジエーターサポートを加えた一覧となっている。更に、図７に示すように、斜線で示したブロック（Ａ−１Ｒ，Ｂ−１Ｒ，Ａ−２Ｒ，Ｂ−２Ｒ，Ａ−１Ｕ，Ａ−１Ｓ，Ｂ−１Ｕ，Ｂ−１Ｓ）においては、損傷範囲が内側にも及ぶことから、骨格に関連する部位をはじめとする関係部位が列挙されている。」
　
（カ）
「　　【００２３】
　１３は上記作業部位に必要な部品群を記憶する部品群記憶手段である。部品群としては、例えば、図９に示すように、フロントバンパーに対しては、バンパーフェイス、バンパーアッパービーム、バンパーモールディング、バンパーステー、バンパーステーブラケット等が設定されている。」
　　
（キ）
「　　【００２４】
　図１に示す処理部４において、１４は分割線によってブロック化した自動車の図面をディスプレー５に表示する自動車図面表示手段であって、図４に示すように、上記ブロック化した自動車の平面図及び側面図をディスプレー５に表示する機能を備えている。」
　
（ク）
「　　【００２５】
　１５はマウスやキーボード６の指示により、ディスプレー５に表示された自動車のブロックを指定するブロック指定手段である。１６はブロック表示手段であり、上記ブロック指定手段１５がブロックを指定したとき、ディスプレー５に表示された自動車の図面上において当該指定されたブロックを色分け表示するものである。図４においては、斜線部分が色分け表示されている。１７はブロック包括指定手段であって、上記ブロック指定手段１５がいずれか一のブロックを指定したとき、指定したブロックから上記衝撃入力側指定手段１０によって指定された衝撃入力があった側までのブロックをブロック指定手段１５がすべて指定したとする機能を備えている。」
　
（ケ）
「　　【００２６】
　また、処理部４は、キーボード６からの入力指示等により、ディスプレー５に、図８に示す見積り表４０を表示し、この表示画面において各種の必要なデータを表示させて取り込む見積り処理機能を備えている。見積り表４０は、自動車の修理に係る項目が書き込まれる項目欄４１（実施例では「主体作業・部品名」欄）及び該項目に関する費用データが書き込まれる費用データ欄４２を有している。費用データ欄４２は、ウインドウ４３から選択された作業項目が書き込まれる作業４４、指数が書き込まれる指数４５、数量４６、部品価格４７、工賃４８の各欄からなる。ウインドウ４３に表示される作業項目としては、脱着，交換，修正，修理，点検，調整，Ｏ／Ｈ（オーバーホール），処理，塗装の各項目を設定している。」
　
（コ）
「　　【００２７】
　更に、図１に示す処理部４において、１８は作業部位書き込み手段であって、上記見積り表４０の表示時にブロック指定手段１５によって指定されたブロックの作業部位の一覧を見積り表４０の項目欄４１に書き込む。作業部位書き込み手段１８は上記衝撃入力度指定手段１１によって指定された衝撃入力度に応じた作業部位を選択して上記見積り表４０の項目欄４１に書き込む機能を備えている。例えば、衝撃入力度が大のときはすべての作業部位を書き込み、衝撃入力度が小のときは影響の少ない作業部位をカットして書き込む。
　　　【００２８】
　２０は部品群表示手段であって上記部品群記憶手段１３に記憶された部品群を、キーボード６からの入力指示により、各作業部位毎にディスプレー５にウインドウ４９を介して表示する（図９）。２１はウインドウ表示された部品群からキーボードの入力指示により所要の部品を指定する部品指定手段である。２２は部品転載手段であり、部品指定手段２１が指定した部品を上記ディスプレー５に表示され見積り表４０に書き込まれた該当する作業部位の下位の項目欄４１に転載する機能を有している」
　
（サ）
「　　【００３０】
　次に、この自動車修理の見積りシステムによって、事故車の修理の見積りをする場合について説明する。まず、図３に示すように、初期データ入力表３０（ダメージレポート）をディスプレー５に表示し、この表示画面において各種の必要なデータを入力する。例えば、自動車固有データ欄３１に対象となる自動車の車種等の自動車固有データを入力するとともに、損傷範囲３２の選択を損傷範囲とし、車両の形状３３を４ドアとし、衝撃入力側指定手段１０により損傷入力方向３４を前側とし、衝撃入力度指定手段１１により衝撃入力度３５を大とする。また、所要の指数対応単価３６及び工数対応単価３７を入力する。」
　
（シ）
「　　【００３１】
　次に、キーボード６からの入力指示により、自動車図面表示手段１４に基づいて、図４に示すように、分割線によってブロック化した自動車の図面をディスプレー５に表示する。そして、マウスやキーボード６指示により、ブロック指定手段１５が、ディスプレー５に表示された自動車の損傷範囲と思われるブロックを指定する。これにより、ブロック表示手段１６がディスプレー５に表示された自動車の図面上において当該指定されたブロックが色分け表示される（図４中斜線）。この場合、ブロック指定手段１５がいずれか一のブロックを指定したとき、ブロック包括指定手段１７が、指定したブロックから上記衝撃入力側指定手段１０によって指定された衝撃入力があった側までのブロックをすべて指定する。そのため、例えば、損傷部位がセンターピラーの場合で、センターピラーのあるブロックのみを指定した場合でも、センターピラーの修理の際に取り外すフロントバンパー，ヘッドランプやグリル等のあるブロックも指定されるので、作業部位の見落としが防止される。」
　
（ス）
「　　【００３２】
　次に、キーボード６からの入力指示により、図８に示すように、ディスプレー５に見積り表４０を表示し、見積書を作成する。この表示画面においては、図９に示すように、作業部位書き込み手段１８によって、上記指定され色表示されたブロックの作業部位の一覧が見積り表４０の項目欄４１に自動的に書き込まれる。この場合、作業部位書き込み手段１８は上記衝撃入力度指定手段１１によって指定された衝撃入力度に応じた作業部位を選択して上記見積り表４０の項目欄４１に書き込むので、不必要な作業部位をカットすることができ、それだけ、見積り作業性が良くなる。」
　
（セ）
「　　【００３３】
　この場合、作業部位は、ブロックに対応して列挙され、しかも、ブロックは、自動車の平面図上、クロスメンバの直後（ａ線）、ストラットタワーの直前（ｂ線）、ダッシュパネルの直前（ｃ線）、フロントピラーの直後（ｄ線）、センタピラーの直前（ｅ線）、タイヤ位置の直前（ｆ線）、タイヤ位置の直後（ｇ線）、リヤクロスメンバの直前（ｈ線）に線引きされた線としているので、自動車における強度上の節目をその境界としていることから、損傷が及ぶ部位が的確に列挙されることになり、それだけ、損傷範囲に係る作業部位の見落としが確実に防止される。
　　　【００３４】
　また、左右に設けられた分割線は、自動車の平面図上、例えば、外板パーツを分離する線（Ｙ線）としているので、接触事故等のような表面的な事故と、内部骨格にまで及ぶ事故との事故状況に応じた損傷範囲に係る作業部位が的確に列挙されることになり、それだけ、信頼性が向上させられる。更に、上下に設けられた分割線は、ウエストラインの直下（Ｚ線）に線引きされた線としているので、ルーフだけの損傷の場合等に作業部位が的確に列挙されることになる。　
　　【００３５】
　この状態で、作業者は、表示された作業部位を順次見ていき、費用データ欄４２に、所要の項目や数値を書き込んでいけば良い。この場合、損傷範囲に係る作業部位が的確に列挙されて表示されているので、損傷部品を作業するに必要な他の部品の取り外し作業などについての見落としをすることがなく、そのため、見積りする者の経験や技能にかかわらず、確実に作業項目を挙げることができる。」
　
（ソ）
「　【００３６】
　また、各作業部位において、キーボード６から入力指示して部品群表示手段２０により、作業部位に係る部品群を、ディスプレー５にウインドウ４９を介して表示する。そして、必要に応じ、部品指定手段２１によりウインドウ表示された部品群から所要の部品を指定すると、指定した部品が、部品転載手段２２により、図９に示すように、上記ディスプレー５に表示され見積り表４０に書き込まれた該当する作業部位の下位の項目欄４１に転載される。そして、この部品についても、費用データ欄４２に、所要の項目や数値を書き込んでいけば良い。この場合、作業部位に係る部品が列挙されて表示されるので、必要な部品の見落としをすることがなく、そのため、見積りする者の経験や技能にかかわらず、確実に部品項目を挙げることができる。」
　
　
　以上の引用例１の記載によれば、引用例１には以下の事項が開示されていると認められる。
　
（ａ）引用例１の図１には、「メモリ部３」の中に「作業部位記憶手段１２」と「部品群記憶手段１３」が記載されていること、
　引用例１の上記（エ）の「メモリ部３において、１２は作業部位記憶手段であって、自動車を複数個所に分割してブロック化した当該各ブロックもしくはブロックの集合ごとに修理作業に係る作業部位の一覧を記憶するものである。」という記載、
　引用例１の上記（カ）の「１３は上記作業部位に必要な部品群を記憶する部品群記憶手段である。」という記載、
　引用例１の上記（ケ）の「見積り表４０は、自動車の修理に係る項目が書き込まれる項目欄４１（実施例では「主体作業・部品名」欄）及び該項目に関する費用データが書き込まれる費用データ欄４２を有している。費用データ欄４２は、ウインドウ４３から選択された作業項目が書き込まれる作業４４、指数が書き込まれる指数４５、数量４６、部品価格４７、工賃４８の各欄からなる。ウインドウ４３に表示される作業項目としては、脱着，交換，修正，修理，点検，調整，Ｏ／Ｈ（オーバーホール），処理，塗装の各項目を設定している。」という記載から、自動車の修理に係る部品が交換や修理等に用いられるものであることは自明であることから、
　引用例１には「自動車を複数個所に分割したブロックもしくはブロックの集合ごとの修理作業に係る作業部位と、上記作業部位に伴って交換や修理等が必要となる部品群を記憶したメモリ部」が開示されていると認められる。
　
（ｂ）引用例１の上記（イ）の「５は表示手段としてのディスプレー」という記載、
　引用例１の上記（キ）の「図１に示す処理部４において、１４は分割線によってブロック化した自動車の図面をディスプレー５に表示する自動車図面表示手段であって、図４に示すように、上記ブロック化した自動車の平面図及び側面図をディスプレー５に表示する機能を備えている。」という記載、
　引用例１の上記（ケ）の「また、処理部４は、キーボード６からの入力指示等により、ディスプレー５に、図８に示す見積り表４０を表示し、この表示画面において各種の必要なデータを表示させて取り込む見積り処理機能を備えている。」という記載から、
　引用例１には「自動車の図面及び各種の必要なデータを表示するための表示手段」が開示されていると認められる。
　
（ｃ）上記（ｂ）の「自動車の図面及び各種の必要なデータを表示するための表示手段」という開示、
　引用例１の上記（エ）の「メモリ部３において、１２は作業部位記憶手段であって、自動車を複数個所に分割してブロック化した当該各ブロックもしくはブロックの集合ごとに修理作業に係る作業部位の一覧を記憶するものである。」という記載、
　引用例１の上記（ク）の「１５はマウスやキーボード６の指示により、ディスプレー５に表示された自動車のブロックを指定するブロック指定手段である。」という記載（なお、マウスが入力手段の一種であることは自明である。）、
　引用例１の上記（シ）の「次に、キーボード６からの入力指示により、自動車図面表示手段１４に基づいて、図４に示すように、分割線によってブロック化した自動車の図面をディスプレー５に表示する。そして、マウスやキーボード６指示により、ブロック指定手段１５が、ディスプレー５に表示された自動車の損傷範囲と思われるブロックを指定する。」という記載（なお、「自動車の損傷範囲と思われるブロック」という記載が、「『実際の』自動車の損傷範囲と思われるブロック」を意図した記載であることは自明である。）から、
　引用例１には、「この表示手段に表示させた自動車の図面に対して実際の自動車の修理作業に係る作業部位を指定する入力手段と、前記入力手段は、マウスであり、このマウスを前記表示手段に表示させた自動車の図面に対して実際の自動車の修理作業に係る作業部位に対応させて当てることにより、前記作業部位を指定すること」が開示されていると認められる。
　
（ｄ）上記（ｂ）の「自動車の図面及び各種の必要なデータを表示するための表示手段」という開示、
　上記（ｃ）の「この表示手段に表示させた自動車の図面に対して実際の自動車の修理作業に係る作業部位を指定する入力手段と、前記入力手段は、マウスであり、このマウスを前記表示手段に表示させた自動車の図面に対して実際の自動車の修理作業に係る作業部位に対応させて当てることにより、前記作業部位を指定すること」という開示、
　引用例１の上記（ケ）の「見積り表４０は、自動車の修理に係る項目が書き込まれる項目欄４１（実施例では「主体作業・部品名」欄）及び該項目に関する費用データが書き込まれる費用データ欄４２を有している。費用データ欄４２は、ウインドウ４３から選択された作業項目が書き込まれる作業４４、指数が書き込まれる指数４５、数量４６、部品価格４７、工賃４８の各欄からなる。ウインドウ４３に表示される作業項目としては、脱着，交換，修正，修理，点検，調整，Ｏ／Ｈ（オーバーホール），処理，塗装の各項目を設定している。」という記載から、自動車の修理に係る部品が交換や修理等に用いられるものであることは自明であること、
　引用例１の上記（シ）の「そして、マウスやキーボード６指示により、ブロック指定手段１５が、ディスプレー５に表示された自動車の損傷範囲と思われるブロックを指定する。これにより、ブロック表示手段１６がディスプレー５に表示された自動車の図面上において当該指定されたブロックが色分け表示される（図４中斜線）。」という記載、
　引用例１の上記（ス）の「作業部位書き込み手段１８によって、上記指定され色表示されたブロックの作業部位の一覧が見積り表４０の項目欄４１に自動的に書き込まれる。」という記載、
　引用例１の上記（ソ）の「また、各作業部位において、キーボード６から入力指示して部品群表示手段２０により、作業部位に係る部品群を、ディスプレー５にウインドウ４９を介して表示する。」という記載から、
　引用例１には、「この入力手段で指定された実際の自動車の修理作業に係る作業部位に係る、交換や修理等を要する部品群を前記表示手段に表示させる部品群表示手段」が開示されていると認められる。
　
（ｅ）引用例１の上記（ア）の「本発明は、自動車修理の見積りシステムに係り、特に、自動車修理工場などで、事故車を修理する際に、事故車の損害の見積り作業に有用な自動車修理の見積りシステムに関する。」という記載から、
　引用例１には、「自動車修理の見積りシステム」が開示されていると認められる。
　
　
　以上の引用例１の記載によれば、引用例１には下記の発明（以下、「引用例１発明」という。）が開示されていると認められる。
　
「自動車を複数個所に分割したブロックもしくはブロックの集合ごとの修理作業に係る作業部位と、上記作業部位に伴って交換や修理等が必要となる部品群を記憶したメモリ部と、
　自動車の図面及び各種の必要なデータを表示するための表示手段と、
この表示手段に表示させた自動車の図面に対して実際の自動車の修理作業に係る作業部位を指定する入力手段と、
　この入力手段で指定された実際の自動車の修理作業に係る作業部位に係る、交換や修理等を要する部品群を前記表示手段に表示させる部品群表示手段とを備え、
　前記入力手段は、マウスであり、このマウスを前記表示手段に表示させた自動車の図面に対して実際の自動車の修理作業に係る作業部位に対応させて当てることにより、前記作業部位を指定すること
　を特徴とする自動車修理の見積りシステム。」
　
　
（２）原査定の拒絶の理由に引用された、特開平６−１３９２５２号公報（以下、「引用例２」という。）には、次の事項が記載されている。
　
（タ）
「　【０００１】
　　【産業上の利用分野】
　本発明は例えば自動車，ＴＶ，冷暖房装置等の大型耐久消費材の破損や消耗部品の交換等の維持管理を行う場合に有用な見積書作成方法及び携帯型見積書作成装置に関する。」
　
（チ）
「　【００１６】
　　【実施例】
　以下本発明の一実施例を図面を用いて説明する。
　　【００１７】
　図２は実施例の携帯型見積作成装置の外観図である。なお、実施例装置は、例えば事故等で損傷を受けた自動車を修理するために必要な費用の見積計算に用いられる。
　　【００１８】
　薄いＢ５サイズのケース１の上面に例えば液晶表示板からなる表示部２が取付けられている。そして、この表示部２の前面に磁気を検知する透明パネルが装着されており、この透明パネルを入力ペン３で接触する事によって、接触した位置（座標）情報を入力することができる。」
　
（ツ）
「　　【００１９】
　図３は携帯型見積作成装置の概略構成を示すハード構成図である。この携帯型見積作成装置はペン入力型の一種のパーソナルコンピュータで構成されている。バスライン４に対して、各種の情報処理を実行するＣＰＵ５，前記表示部２，入力ペン３で指定された位置情報を２値化してＣＰＵ５が理解できる情報に変換すペン入力部６，各種プログラムを記憶するプログラムメモリ７，各種のデータを記憶するデータメモリ８，多数の図形や部品リスト等のデータベースが形成されているＨＤＤ（ハード・ディスク装置）９、外部との間で各種データの授受を行うためのインタフェース（Ｉ／Ｆ）１０等が接続さている。」
　 
（テ）
 「　【００２１】
　前記ＨＤＤ９内には、図４に示すように、この携帯型見積作成装置で取扱可能な各自動車会社毎の車種を記憶する社名・車種記憶部１６、自動車の各種図面を記憶する図面記憶部１７、および各自動車を構成する各部品を記憶する部品記憶部１８が形成されている。
　　【００２２】
　図形記憶部１７内には、図４（ａ）に示すように、各車種毎に「上面」「前面」「後面」「右側面」「左側面」から見た複数枚の外観図１９、各車種毎においてバンパー部，ドア部，サスペンション部等の各部位を構成する複数の部品の配置・取付状態を、例えばツリー構造に表現して示す複数枚の部品展開図２０が記憶されている。さらに、自動車の内部構成を表示するために、自動車の屋根を取除いた状態の上面図、ボンネットを開いた状態の上面図、さらに、複数位置における断面図も記憶されている。
　　【００２３】
　部品記憶部１８内には、図４（ｂ）に示すように、前述した各車種の各部品展開図２０毎に、該当展開図で描かれた各部品毎に、部品名称，部品コード，交換や脱着や補修等の作業コード，および価格を記憶する複数枚の部品リスト２１が記憶されている。」
　
（ト）
「　【００３７】
　図６のＰ５にて、入力ペン３で図１０（ａ）に示すように、表示画面２ａに表示された外観図１９，内部図面２８，断面図における損傷部位を指定（接触）すると、Ｐ９へ進み、指定された部位を認識して、該当部位の部品展開図２０を図面記憶部１７から詠出す。なお、Ｐ６にて、図１０（ｂ）に示すように、表示されている図面における損傷部位の領域２５を入力ペン３で指定した場合、この領域２５にて指定された部位を特定して、Ｐ９へ進み、特定された部位の部品展開図２０を図面記憶部１７から読出す。
　　【００３８】
　さらに、Ｐ７にて、図１０（ｃ）に示すように、入力ペン３で損傷部位を表示画面２ａの指定領域２４に直接文字で記入した場合は、前述した認識手段で該当文字を認識して、Ｐ９へ進み、認識した部位に該当する部品展開図２０を図面記憶部１７から読出す。
　　【００３９】
　Ｐ９にて、指定された部位の部品展開図２０が読出されると、次に、同一部位の部品リスト２１を部品記憶部１８から読出す（Ｐ１０）。そして、図１１（ａ）に示すように、読出した部品展開図２０及び部品リスト２１を表示画面２ａに同時に表示する（Ｐ１１）。
　　【００４０】
　この場合、表示画面２ａの上側の８個の選択項目２７においては、１番目に「選択」の項目が表示され、２番目に「合計」の項目が表示される。さらに、表示画面２ａの下側に「交換」「脱着」「補修」の部品の処理内容を選択する３個の選択項目２７ａが表示される。
　　【００４１】
　図７のＰ１２において、操作者が入力ペン３で具体的な損傷した部品を指定（接触）し、さらにＰ１３で、該当部品の処理内容を前記３つの選択項目２７ａから１つ指定するとＰ１４へ進む。なお、この部品の指定手法は、上述した部品の図形を入力ペン３で直接接触する手法の他に、部品名を入力ペン３で実際に記述仕してもよい。」
　
（ナ）
「　【００４２】
　Ｐ１４において、指定された部品を表示されている部品リスト２１中から抽出して、該当部品の部品名称，部品コード，指定された処理内容に対する作業コード（作業費）、価格等の部品情報を図５に示すデータメモリ８の見積書メモリ２２に登録する。そして、表示されている部品リスト２１の該当部品の全部の部品情報を反転表示して、すでに見積書メモリ２２に登録済みであることを操作者に告知する。」
　
（ニ）
「　【００５７】
　さらに、表示画面２ａに各外観図又は部品展開図が表示された状態において、入力ペン３を用いて自動車の損傷部位の損傷状態をスケッチすると共に、その損傷状態に対して簡単なメッセージを、表示画面２ａに記述すると、このスケッチとメッセージの画像を別途画像メモリに記憶保持して、前述した見積書を印字出力する時に同時に印字出力してもよい。」
　
　
　以上の引用例２の記載によれば、引用例２には下記の発明（以下、「引用例２発明」という。）が開示されていると認められる。
　
「部品名称，部品コード，交換や脱着や補修等の作業コード（作業費），および価格を記憶する複数枚の部品リストが記憶されている部品記憶部と、
　部品展開図及び部品リストを表示する表示部と、
　表示されている図面における損傷部位の領域を指定するための入力ペンとを備え、
　指定された部位の部品展開図が読出されると、次に、同一部位の部品リストを部品記憶部から読出し、そして、読出した部品展開図及び部品リストを表示画面に同時に表示することを特徴とする
　自動車等等の大型耐久消費材の破損や消耗部品の交換等の維持管理を行う場合に有用な携帯型見積書作成装置。」
　
　
　
３．対比
　本願発明と引用例１発明とを対比する。
　
　引用例１発明の「自動車」、「図面」、「部品群」、「損傷」、「自動車修理の見積りシステム」は、
それぞれ、本願発明の「車両」、「図形」、「部品のリスト」、「破損」、「車両修理費見積もりシステム」に相当する。
　
　修理作業とは損傷部位に対して行うものであることを鑑みれば、引用例１発明の「修理作業に係る作業部位」は、本願発明の「破損部位」に相当する。
　
 　引用例１の上記（オ）の記載、及び図５乃至７の記載から、
・図５中の斜線で示された３つのブロック（Ａ−１Ｒ，Ａ−１Ｕ，Ａ−１Ｓ）からなる作業部位を指定、
・図６中の斜線で示された６つのブロック（Ａ−１Ｒ，Ｂ−１Ｒ，Ａ−１Ｕ，Ａ−１Ｓ，Ｂ−１Ｕ，Ｂ−１Ｓ；すなわち、図５中の斜線で示された３つのブロックと、Ｂ−１Ｒ，Ｂ−１Ｕ，Ｂ−１Ｓ）からなる作業部位を指定、
・図７中の斜線で示された８つのブロック（Ａ−１Ｒ，Ｂ−１Ｒ，Ａ−２Ｒ，Ｂ−２Ｒ，Ａ−１Ｕ，Ａ−１Ｓ，Ｂ−１Ｕ，Ｂ−１Ｓ；すなわち、図６中の斜線で示された６つのブロックと、Ａ−２Ｒ，Ｂ−２Ｒ）からなる作業部位を指定、
　というように、作業部位を構成するブロックを多く指定することによって、修理すべき箇所が増える（すなわち、損傷程度が大きくなる）ことから、作業部位の指定が、損傷範囲の指定だけでなく、損傷程度の指定も兼ねていることになる。
　すなわち、引用例１発明の「実際の自動車の損傷範囲に係る作業部位」は、本願発明の「実際の車両の破損部位及び破損程度」に相当する。
　
　引用例１発明の「自動車を複数個所に分割したブロックもしくはブロックの集合ごとの修理作業に係る作業部位と、上記作業部位に伴って交換や修理等が必要となる部品群を記憶したメモリ部」と、
　本願発明の「車両の部品価格、及び当該部品の交換あるいは修理に要する工賃のデータ群、並びに、車両の破損部位と破損部位に伴って交換あるいは修理が必要になる部品との対応データ、を格納した格納手段」とは、
　「車両の破損部位と破損部位に伴って交換あるいは修理が必要になる部品、を格納した格納手段」という点で共通し、
　本願発明の「格納手段」は「車両の部品価格、及び当該部品の交換あるいは修理に要する工賃のデータ群」も対応付けて格納しているのに対し、引用例１発明の「格納手段」は「車両の部品価格、及び当該部品の交換あるいは修理に要する工賃のデータ群」を格納していない点、
　で相違する。
　
　引用例１発明の「自動車の図面及び各種の必要なデータを表示するための表示手段」は、
　本願発明の「図形及び各種データを表示するための表示手段」に相当する。
　
　引用例１発明の「この表示手段に表示させた自動車の図面に対して実際の自動車の修理作業に係る作業部位を指定する入力手段」と「前記入力手段は、マウスであり、このマウスを前記表示手段に表示させた自動車の図面に対して実際の自動車の修理作業に係る作業部位に対応させて当てることにより、前記作業部位を指定する」と、
　本願発明の「この表示手段に表示させた車両図形に対して実際の車両の破損部位及び破損程度を指定する指定手段」と「前記指定手段は、前記表示手段の表示ドットの絶対位置を指定できる感光センサを内装したライトペンであり、このライトペンを前記表示手段に表示させた車両図形に対して実際の車両の破損部位に対応させて当てることにより、前記破損部位及び破損程度を指定する」とは、
　「この表示手段に表示させた車両図形に対して実際の車両の破損部位及び破損程度を指定する指定手段」と「前記指定手段は、前記表示手段に表示させた車両図形に対して実際の車両の破損部位に対応させて当てることにより、前記破損部位及び破損程度を指定する」に付ける手段という点で共通し、
　本願発明の「指定手段」は「表示手段の表示ドットの絶対位置を指定できる感光センサを内装したライトペン」であるのに対し、引用例１発明の「指定手段」は「マウス」である点、
　で相違する。
　　
　引用例１発明の「この入力手段で指定された実際の自動車の修理作業に係る作業部位に係る、交換や修理等を要する部品群を前記表示手段に表示させる部品群表示手段」と、
　本願発明の「この指定手段で指定された破損部位及び破損程度を前記格納手段に格納されたデータと照合し、交換あるいは修理を要する部品のリスト及び工賃のリストを前記表示手段に表示させる照合手段」とは、
　「交換あるいは修理を要する部品のリストを前記表示手段に表示させる照合手段」である点で共通し、
　本願発明では、「この指定手段で指定された破損部位及び破損程度を前記格納手段に格納されたデータと照合」することによって「部品のリスト」及び「工賃のリスト」を表示しているのに対し、引用例１発明では、そのようになっていない点、
で相違する。
　
　
　したがって、両者は、
「車両の破損部位と破損部位に伴って交換あるいは修理が必要になる部品、を格納した格納手段と、
　図形及び各種データを表示するための表示手段と、
　この表示手段に表示させた車両図形に対して実際の車両の破損部位及び破損程度を指定する指定手段と、
　交換あるいは修理を要する部品のリストを前記表示手段に表示させる照合手段とを備え、
　前記指定手段は、前記表示手段に表示させた車両図形に対して実際の車両の破損部位に対応させて当てることにより、前記破損部位及び破損程度を指定する
　ことを特徴とする車両修理費見積もりシステム。」
　
　の点で一致し、以下の点で相違する。
　
（相違点１）
　本願発明の「格納手段」は「車両の部品価格、及び当該部品の交換あるいは修理に要する工賃のデータ群」も対応付けて格納しているのに対し、引用例１発明の「格納手段」は「車両の部品価格、及び当該部品の交換あるいは修理に要する工賃のデータ群」を格納していない点、
　
　そのために、
　
　本願発明では、「この指定手段で指定された破損部位及び破損程度を前記格納手段に格納されたデータと照合」することによって「部品のリスト」及び「工賃のリスト」を表示しているのに対し、引用例１発明では、そのようになっていない点、
　
（相違点２）
　本願発明の「指定手段」は「表示手段の表示ドットの絶対位置を指定できる感光センサを内装したライトペン」であるのに対し、引用例１発明の「指定手段」は「マウス」である点、
　
　
　
４．相違点の判断
　
（１）相違点１について
　引用例２発明は、
「部品名称，部品コード，交換や脱着や補修等の作業コード（作業費），および価格を記憶する複数枚の部品リストが記憶されている部品記憶部と、
　部品展開図及び部品リストを表示する表示部と、
　表示されている図面における損傷部位の領域を指定するための入力ペンとを備え、
　指定された部位の部品展開図が読出されると、次に、同一部位の部品リストを部品記憶部から読出し、そして、読出した部品展開図及び部品リストを表示画面に同時に表示することを特徴とする
　自動車等等の大型耐久消費材の破損や消耗部品の交換等の維持管理を行う場合に有用な携帯型見積書作成装置。」
　すなわち、
・交換や補修等が必要となる部品（部品名称、部品コード）に対して、作業コード（作業費）や価格が対応付けられたリストを部品記憶部に記憶する技術、
・損傷部位の領域を指定することによって、指定された部位と同一部位の部品リストを部品記憶部から読み出し表示する技術（なお、損傷部位の指定によって、指定された部位と同一の部位の部品リストを読み出すためには、損傷部位を部品リストと照合する必要があることは自明である。）、
　を開示している。
　
　そして、車両修理費見積もりを行う際、交換あるいは修理が必要となる部品に対する部品価格又は工賃を容易に（例えば、自動的に）取得することが好ましいことは明らかである。
　さらに、関連する情報を、ひとつのリストに集約して表示したり、複数のリストに分けて表示したりすることは、情報処理分野における周知技術である。
　
　したがって、車両修理費見積もりを行う際、交換或いは修理が必要となる部品に対する部品価格又は工賃を自動的に取得するべく、引用例１発明に対して、引用例２発明に開示された技術や当該周知技術を適用し、
　引用例１発明の「格納手段」に対して、「車両の部品価格、及び当該部品の交換あるいは修理に要する工賃のデータ群」も対応付けて格納することにより、指定手段で指定された破損部位及び破損程度を前記格納手段に格納されたデータと照合することによって、「部品のリスト」及び「工賃のリスト」も表示可能に構成することは、当業者が容易に想到し得ることである。
　
　
（２）相違点２について
・「表示手段の表示ドットの絶対位置を指定できる感光センサを内装したライトペン」が存在すること、
・ライトペンは、マウスに比べると、正確な座標位置を指示することが難しいという短所があるものの、表示画面上に既に表示されている図形などを迅速に指示できるという長所があること、
　という２点は周知技術（例えば、特開平１−１７５６２２号公報（特に、第１頁右欄第１７行から第２頁左上欄第４行、第２頁左下欄第５乃至７行の記載）を参照）である。
　
　しかも、本願発明や引用例１発明と同一技術分野に属する、引用例２発明は、入力ペンによる操作を行うことを開示している。
　
　したがって、表示画面上に既に表示されている図形などを迅速に指示することを可能とすべく、引用例１発明に対して当該周知技術を適用することにより、「マウス」に代えて「表示手段の表示ドットの絶対位置を指定できる感光センサを内装したライトペン」を採用することは、当業者が容易に想到し得ることである。
　
　
　
 ５．むすび 
　したがって、本願発明は、引用例１乃至２記載の発明に基づいて、当業者が容易に発明をすることができたものであり、特許法２９条２項の規定により特許を受けることができないから、他の請求項について検討するまでもなく、本願は拒絶されるべきものである。 
 よって、結論のとおり審決する。